(57)【要約】【課題】バネを１方から引いて離すと戻って物に当ってそれを何回もくり返えすと衝撃部が減ってしまうので衝撃を軟らかくする。【解決手段】可動部と固定部又は１次回転体の間に伸縮手段スペースを設けて伸縮手段スペースの何個所に固定部又は１次回転部に固着する反力片支持を設け、可動部にも反力他支持を固着して、反力片支持と反力他支持は互いに接っしない形で各各にプレートを置いても安定しそして各各に反発材で押されも各各が安全であり反力片支持と反力他支持の厚みは同じとし、反力片支持と反力他支持が嵌して反発材を設ける所にプレートを当てて圧縮した反発材を入れる。【選択図】図２
2009162213.tif 000002
【特許請求の範囲】
【請求項１】
ロータリーエンジンのロータの角部に角の方に囲いが無い  断面円形の空部を設け、空部に奥から反発材で押された微出入（３５）を挟んだ微回転（１２）を設け、ロータと微回転の摺接部に接っしそして添って微回転内に伸縮手段スペースを設け、伸縮手段スペース内の反発材とロータ及び微回転は無負荷反発手段を介して係合し、伸縮手段スペースの任意の所は無負荷反発手段（４５）、（４４）を設け、伸縮手段スペースの任意以外は無負荷反発手段か反発材を止める固定部のどちらか１方を設けて他方の反発材の反発力により相反する１方の反発材の反発力により打ち消し合わない事と反発材の反発力により衝撃部が減らない手段とした事を特徴とした無負荷反発手段付微回転。
【請求項２】
微回転（１０）とロータ（６）にまたがって伸縮手段スペースを設け、外見上弧状の伸縮手段スペースの任意の所に無負荷反発手段（５３）、（４７）を設け、伸縮手段スペースの任意以外の所に無負荷反発手段又は、反発材を止める固定部のどちらか１方を設けて他方の反発材の反発力により相反する１方の反発材の反発力を打ち消し合わない事と反発材の反発力により衝撃部が減らない手段とした事を特徴とした請求項１記載の無負荷反発手段付微回転。
【請求項３】
ロータリーエンジンのロータ（６）の角部に角の方に囲いが無い断面円形の空部を設け、空部に奥から反発材で押された微出入（２５０）を挟んだ断面円形の微回転（２５１）を設け、微回転とロータの摺接部に接っしそして添ってロータ内に伸縮手段スペースを設け、伸縮手段スペース内の反発材と微回転及びロータは無負荷反発手段を介して係合し、伸縮手段スペース内の任意の所に無負荷反発手段（２５５）、（２７２）を設け伸縮手段スペースの任意の所以外は無負荷反発手段か反発材を止める固定部のどちらか１方を設けて他方の反発材の反発力により相反する１方の反発材の反発力を打ち消し合わない事と反発材の反発力により衝撃部が減らない手段とした事を特徴とした無負荷反発手段付微回転。
【請求項４】
吸入回転弁（７）、（１３５）の角部に角の方に囲いが無い断面円状の空部を設けて空部に奥から反発材で押された微出入（７０）、（１１０）を挟んだ断面略円状の微回転（９５）、（１３４）を設け、微回転と吸入回転弁の摺接部に接っして微回転の内側に摺接部に添って伸縮手段スペースを設け、伸縮手段スペース内の反発材は無負荷反発手段を介して吸入回転弁及び微回転と係合し、伸縮手段スペースは外見上弧状とし、伸縮手段スペースの中の任意の所に無負荷反発手段（７６）、（９０）を設け、伸縮手段スペースの任意の所以外は無負荷反発手段か又は反発材を止める固定部のどちらか１方を設けて他方の反発材の反発力により相反する１方の反発材の反発力を打ち消し合わない事と反発材の反発力により衝撃部が減らない手段とした事を特徴とした無負荷反発手段付微回転。
【請求項５】
吸入回転弁（７）、（１３５）の微回転（１３４）にまたがって弧状に伸縮手段スペースを設け、伸縮手段スペースの中の任意の所に無負荷反発手段（１２６）、（１１７）を設け、伸縮手段スペースの任意以外の所に無負荷反発手段か又は反発材を止める固定部のどちらか１方を設けて他方の反発材の反発力により相反する１方の反発材の反発力を打ち消し合わない事と反発材の反発力により衝撃部が減らない手段とした事を特徴とした請求項４記載の無負荷反発手段付微回転。
【請求項６】
微回転（９５）と吸入回転弁（７）の摺接部に接っして吸入回転弁の内側にそして摺接部に添って縮手段スペースを設け、伸縮手段スペースの中の任意の所に無負荷反発手段（３１０）、（３２０）を設け、伸縮手段スペースの中の任意以外の所に無負荷反発手段か又は反発材を止める固定部のどちらか１方を設けて他方の反発材の反発力により相反する１方の反発材の反発力を打ち消し合わない事と反発材の反発力により衝撃部が減らない手段とした事を特徴とした請求項４記載の無負荷反発手段付微回転。
【請求項７】
排気回転弁（１６）、の角部に角の方に囲いが無い断面円状の空部に設けて空部に奥から反発材で押された微出入（１５０）、（２００）を挟んだ断面円状の微回転（１５１）、を設け微回転と排気回転弁の摺接部に接っして微回転の内側の方に摺接部に添って伸縮手段スペースを設け、伸縮手段スペースは外見上弧状とし、伸縮手段スペースの中の任意の所に無負荷反発手段（１７０）（１５９）を設け、伸縮手段スペースの任意以外の所は無負荷反発手段か又は反発材を止める固定部のどちらか１方を設けて他方の反発材の反発力により相反する１方の反発材の反発力を打ち消し合わない事と反発材の反発力により衝撃部が減らない手段とした事を特徴とした無負荷反発手段付微回転。
【請求項８】
排気回転弁（１６）、と微回転（１５１）、にまたがって弧状の伸縮手段スペースを設け、伸縮手段スペースの中の任意の所に無負荷反発手段（２０８）（２２１）を設け、伸縮手段スペースの中の任意以外の所に無負荷反発手段か又は反発材を止める固定部のどちらか１方を設けて他方の反発材の反発力を相反する１方の反発材の反発力で打ち消さない事と反発材の反発力で衝撃部が減らない手段とした事を特徴とした請求項７記載の無負荷反発手段付微回転。
【請求項９】
排気回転弁（１６）の角部に角の方に囲が無い断面円状の空部を設けて空部に奥から反発材で押された微出入を挟んた断面略円形の微回転（１５１）を設け、微回転と排気回転弁の摺接部に接っして排気回転弁の中側に摺接部に添って伸縮手段スペースを設け、伸縮手段スペース内の反発材は無負荷反発手段を介して排気回転弁及び微回転と係合し、伸縮手段スペースの中の任意の所に無負反発手段（３５９）、（３７２）を設け、伸縮手段スペースの中の任意以外の所は無負荷反発手段か又は反発材を止める固定部のどちらか１方を設けて他方の反発材の反発力と相反する１方の反発材の反発力が打ち消し合わない事と反発材の反発力により衝撃部が減らない事を特徴とした無負荷反発手段付微回転。
【発明の詳細な説明】
【技術分野】
【０００１】本発明は、ロータリーエンジンのロータ及び吸入回転弁及び排気回転弁の各各の角部に設け、角の方に囲が無い断面円形の空部を設け、空部に奥から反発材で押された微出入を挟んだ断面略円形の微回転を設け、その微回転が外力に押されて１方又は他方に回転するが微回転が戻す時相反する反発材により反発力を打ち消さない事と反発材の反発力により衝撃部が減らない手段とした事に関するものである。
【背景技術】
【０００２】特願２００４−２６８９９７
特願２００６−２４２１４２
等がある。
【発明の開示】
【発明が解決しようとする課題】
【０００３】バネを押して離すとバネ止めで止まるが何回もくり返えすと衝撃部が減ってくるので衝撃をやわらかくする。
【課題を解決するための手段】
【０００４】ロータリーエンジンのロータ及び吸入回転弁及び排気回転弁の各各の角部で角の方に囲いを設けない断面略円形の空部を設け、空部に奥の方からバネ又は気泡入りゴムで押された微出入を挟んだ断面略円形の微回転を設け、ロータ及び吸入回転弁及び排気回転弁と微回転の摺接部に接っして微回転の内側で微回転に添って断面任意の形とした伸縮手段スペースを設ける。少なくとも摺接部と伸縮手段スペースの間の仕切りは各各の無負荷反発手段の所の前後３０度位は無くす。
無負荷反発手段は１方がロータ及び吸入回転弁及び排気回転弁の１次回転体と微回転の間の伸縮手段スペースの中に１次回転体に固着しそしてプレートが置いても安定しそして反発材で押されても安全な形と構造とした反力片支持を設け微回転に反力片支持と同位置で微回転の同心円上同じ距離の所の厚さを微回転に固着する反力他支持の厚さと同じくし反力片支持と反力他支持は当たらないで反力他支持にプレートを置いても安定し反発材で押されても安全な形と構造とし、反力片支持と反力他支持を嵌合して反発材で押す方にプレートを当てて反発材でプレートを押す。【０００５】無負荷反発手段の位置は伸縮手段スペースの中程及び伸縮手段スペースの端より微回転が角回転する遊びの角度のスペースの空部を設けて無負荷反発手段か又は反発材が当たる固定部かどちらか１方を設ける。【０００６】ロータ及び吸入回転弁及び排気回転弁の１次回転体と微回転とまたがって外見弧状に伸縮手段スペースを設ける事もあり、【０００７】ロータ及び吸入回転弁及び排気回転弁の１次回転体と微回転の摺接部に接っして１次回転体の内側の方に摺接部に添って伸縮手段スペースを設け、伸縮手段スペースは断面だ円形又は多角形があるが円形が最良
【発明の効果】
【０００８】バネに押されて戻る反力他支持が他のバネで押されたプレートに当るので他のバネにより衝撃をやわらげる。
【発明を実施するための最良の形態】
【０００９】ロータ及び吸入回転弁及び排気回転弁の各各と各各に設ける微回転の摺接部に接っして微回転の内側の方に微回転に添って伸縮手段スペースを設けて端に空部を設けて端よりいくらか中に入った所と中程の３個所に無負荷反発手段を設けて各各プレートを当てて圧縮されたバネを設ける
【実施例】
【００１０】ロータ及び吸入回転弁及び排気回転弁の１次回転体と微回転にまたがって微回転の外周を中心線位にして両側またがって伸縮手段スペースを設け伸縮スペースの両端より微回転の遊びの分よりいくらか大くした空部を伸縮手段スペースの端に設け、てその内側に固定部又は無負荷反発手段を設け中程の何個所かに無負荷反発手段を設けてプレートを当てて圧縮されたバネ又は気泡入りゴムを圧縮した物を入れる。【００１１】ロータ及び吸入回転弁及び排気回転弁の１次回転体の各各と各各に設けた微回転の摺接部に接っして１次回転体の中側に微回転に添って伸縮手段スペースを設けて伸縮手段スペースの両端に空部を設けて無負荷反発手段か又は固定部を設けて残りのスペースに１個又は複数個の無負荷反発手段を設けてプレートを当てて圧縮されたバネ又は気泡入りのゴムを圧縮した物を入れる。【００１２】気泡はゴムに直接設けるか又はビニール、ナイロン、ゴム等の伸縮性のある物で空洞を物を造りその中に流体を入れ流体は主に炭酸ガス等とする。伸縮手段スペースの中の固定部は伸縮手段スペースの端に空部を設けた手前又は中程に設けロータ又は吸入回転弁又は排気回転弁の１次回転体側だけ又は微回転側だけのどちらか１方に固着する。
【産業上の利用分野】
【００１３】ロータリーエンジン
【図面の簡単な説明】
【００１４】
【図１】ロータリーエンジンの全体図
【図２】ロータの全体図
【図３】伸縮手段スペースが微回転に入った図と微回転にまたがった図
【図４】Ａ−Ａ断面図
【図５】Ｂ−Ｂ断面図
【図６】Ｐ−Ｐ断面図
【図７】Ｃ−Ｃ断面図
【図８】Ｑ−Ｑ断面図
【図９】Ｄ−Ｄ断面図
【図１０】Ｈ−Ｈが固定部の時の断面図
【図１１】Ｈ１−Ｈ１断面図
【図１２】伸縮手段スペースが微回転と１次回転体ににまたがった時の固定部の断面図
【図１３】伸縮手段スペースが微回転外の図
【図１４】Ｒ−Ｒ断面図
【図１５】Ｓ−Ｓ断面図
【図１６】伸縮手段スペースが微回転内の図
【図１７】Ｔ−Ｔ断面図
【図１８】Ｕ−Ｕ断面図
【図１９】伸縮手段スペースが微回転と吸入回転体にまたがった図
【図２０】Ｖ−Ｖ断面図
【図２１】Ｗ−Ｗ断面図
【図２２】伸縮手段スペースが吸入回転弁に入った
【図２３】Ｘ−Ｘ断面図
【図２４】Ｙ−Ｙ断面図
【図２５】伸縮手段スペースが微回転に入った図
【図２６】Ｚ−Ｚ断面図
【図２７】Ａ１−Ａ１断面図
【図２８】伸縮手段スペースが排気回転弁と微回転にまたがった図
【図２９】Ｂ１−Ｂ１断面図
【図３０】Ｃ１−Ｃ１断面図
【図３１】伸縮手段スペースが排気回転弁に入った図
【図３２】Ｄ１−Ｄ１断面図
【図３３】Ｅ１−Ｅ１断面図
【符号の説明】
【００１５】排気口            １
仕切回転弁枠      ２
仕切回転弁        ３
吸入口            ４
ロータ枠          ５
ロータ            ６
吸入回転弁        ７
吸入回転弁枠      ８
微回転            １０、１２、２５１、９５、１５１
燃焼室            １１
排気回転弁        １０
排気回転弁枠      １５
気泡              ２０、４０、２５８、２６２、１１５、１１９  ７８、３０８、１５６、２０５、３５６
ゴム              ５８、５９、２６１、７４、１２０  ３０７、３１２、１５７、１６１  ２０１、３５７、３６１
無負荷反発手段    ４５、４４、５３、４７、２７２  ２５５、９０、７６、１２６、１１７  ３２０、３１０、１５９、１７０
微出入            ２６、３５、２５０、７０、１１０  ３００、１５０、２００、３５０
プレート          ２５６、２５５、２６０、２６３、
バネ              ２６７、２７１、２７３、２５５Ｄ  ２５５Ｅ、４４Ｄ、４４Ｅ、５３Ｄ  ５３Ｅ、３７８
バネ              ４１、４８、５６、５７、２７４  ２６８、８８、９２、１２８  １２５、３２２、３１８、１７２  １６８、２１８、２２３、３７４  ３７０
反力片支持        ４５Ｃ、４４Ｃ、５３Ａ、５３Ｂ  ４７Ａ、４７Ｂ  ２５５Ａ、２５５Ｂ  ９０Ｃ、１２６Ａ、１２６Ｂ、３２０Ａ、３２０Ｂ  １７０Ｃ、２２１Ａ、２２１Ｂ、３７２Ａ、３７２Ｂ
微回転ひっかけ    ４９、４２、８３、１１１、３０２  １５２、２１５、３６５
空部              ３７７、３６６、３５３、１５３  １７５、１６５、３２５、３０４  ３１５、９４、７１、８２、８４  １３２、１１２、１２２、１２３、２７  ３０、３６、３１、２４、２５
反力他支持        ４５Ａ、４５Ｂ、４４、Ａ、４４Ｂ、５３Ｃ、４７Ｃ、２５５Ｃ、９０Ａ、９０Ｂ、１２６Ｃ、３２０Ｃ  １７０Ａ、１７０Ｂ、２２１Ｃ、３７２Ｃ
固定部            ２８
【図１】
2009162213.tif 000003
【図２】
2009162213.tif 000004
【図３】
2009162213.tif 000005
【図４】
2009162213.tif 000006
【図５】
2009162213.tif 000007
【図６】
2009162213.tif 000008
【図７】
2009162213.tif 000009
【図８】
2009162213.tif 000010
【図９】
2009162213.tif 000011
【図１０】
2009162213.tif 000012
【図１１】
2009162213.tif 000013
【図１２】
2009162213.tif 000014
【図１３】
2009162213.tif 000015
【図１４】
2009162213.tif 000016
【図１５】
2009162213.tif 000017
【図１６】
2009162213.tif 000018
【図１７】
2009162213.tif 000019
【図１８】
2009162213.tif 000020
【図１９】
2009162213.tif 000021
【図２０】
2009162213.tif 000022
【図２１】
2009162213.tif 000023
【図２２】
2009162213.tif 000024
【図２３】
2009162213.tif 000025
【図２４】
2009162213.tif 000026
【図２５】
2009162213.tif 000027
【図２６】
2009162213.tif 000028
【図２７】
2009162213.tif 000029
【図２８】
2009162213.tif 000030
【図２９】
2009162213.tif 000031
【図３０】
2009162213.tif 000032
【図３１】
2009162213.tif 000033
【図３２】
2009162213.tif 000034
【図３３】
2009162213.tif 000035